(57)【要約】【課題】脚部のような起立部材に、それを遮蔽する遮蔽部材のような機能を有する板部材を取り付けるに際し、そのデザイン上の制約を小さくすることができるとともに、簡単な構造により起立部材に対して容易に取り付けることができる。【解決手段】脚部２と、脚部２の外側面に取り付けられ、外側面を覆う内側面を有するサイドパネル２０と、を備え、脚部２には、脚部２の厚さ方向に凹む第一開口部２４を有するとともに、第一開口部２４に向けて開口する第一開口溝２３ａが形成され、サイドパネル２０は、第一開口溝２３ａに嵌合する係合プレート２５を備え、サイドパネル２０の内側面が脚部２の外側面に接した状態で、係合プレート２５が第一開口溝２３ａに嵌合され、第一開口溝２３ａに嵌合した係合プレート２５は、第一開口部２４の内側に挿入され、かつ第一開口溝２３ａの内面を押圧するように付勢された構成の椅子を提案する。【選択図】図５
2018175589.tif 000002
【特許請求の範囲】
【請求項１】
起立部材と、
該起立部材の外側面に取り付けられ、該外側面を覆う内側面を有する板部材と、
を備える什器であって、
前記起立部材には、該起立部材の厚さ方向に凹む凹部を有するとともに、該凹部に向けて開口する開口部が形成され、
前記板部材は、前記開口部に嵌合する係合突部を備え、
前記板部材の前記内側面が前記起立部材の前記外側面に接した状態で、前記係合突部が前記開口部に嵌合され、
前記開口部に嵌合した前記係合突部は、前記凹部の内側に挿入され、かつ前記開口部の内面を押圧するように付勢されていることを特徴とする什器。
【請求項２】
前記開口部は、前記係合突部よりも前記厚さ方向における内方において、前記係合突部に当接する部位を有することを特徴とする請求項１に記載の什器。
【請求項３】
前記開口部は、当該開口部の開口幅方向に沿う全域において前記係合突部よりも前記厚さ方向における内方に位置していることを特徴とする請求項１又は２に記載の什器。
【請求項４】
前記板部材は、前記起立部材の両外側面のそれぞれに取り付けられ、
前記開口部には、前記両外側面に設けられる一対の前記板部材のそれぞれの前記係合突部が嵌合されていることを特徴とする請求項１乃至３のいずれか１項に記載の什器。
【請求項５】
前記係合突部の復元方向と反対向きに締め付けて前記板部材を前記起立部材に固定する締結部を備えることを特徴とする請求項１乃至４のいずれか１項に記載の什器。
【発明の詳細な説明】
【技術分野】
【０００１】
本発明は、什器に関する。
【背景技術】
【０００２】
従来、設置面上に起立する脚部材における少なくとも外側面に板部材を支持してなる什器として、例えば特許文献１に開示されるような椅子が知られている。
このような椅子では、脚部材としての支持体の手前側面が化粧板としての第一パネル部材によって覆われるとともに、支持体の内側面と外側面とが第二パネル部材によって覆われている。このような構成の椅子の場合には、化粧板が外的衝撃を受けて破損することがあり、とりわけ奥行方向における手前側端部において、さらにその外側角部が、着座者が椅子の手前側にアプローチする際の経路に向けて開放されていることから破損しやすい。そこで、最も破損しやすい領域に対応する化粧板を、他部位に対応する化粧板とは別部材とすることで交換性をもたせたものがある。
【０００３】
ところで、上述した第二パネル部材においては、支持体を構成する支柱本体の側面に形成されたねじ孔に挿入したボルトにより固定される。この作業に際しては、第二パネル部材を手で押えながら行うことが必須となっており、作業性の点で課題があった。
そこで、特許文献２に開示される構成を採用することが考えられる。この構成においては、脚部材としての支脚に、上方に開口されるコ字状をなす側板用フレームを固着し、このフレームの上端開放から化粧板が挿入される。このような構成を採用することによって、側板用フレームにより荷重を受け止められる化粧板の支脚に対しての支持が容易になる。
【先行技術文献】
【特許文献】
【０００４】
【特許文献１】特許第４１７７６４６号公報
【特許文献２】実公昭５４−００８９７５号公報
【発明の概要】
【発明が解決しようとする課題】
【０００５】
しかしながら、従来の椅子では、以下のような問題があった。
すなわち、化粧板の挙動（揺動）を防止するために、側板用フレームの形状が上向きコ字状に限定されることになるため、デザイン面での制約が大きくなる。例えば、この化粧板を支脚の奥行方向の手前側まで延出させることが困難になるという問題があった。
【０００６】
本発明は、上述する問題点に鑑みてなされたもので、脚部のような起立部材に、それを遮蔽する遮蔽部材のような機能を有する板部材を取り付けるに際し、そのデザイン上の制約を小さくすることができるとともに、簡単な構造により起立部材に対して容易に取り付けることができる什器を提供することを目的とする。
【課題を解決するための手段】
【０００７】
上記目的を達成するため、本発明に係る什器は、起立部材と、該起立部材の外側面に取り付けられ、該外側面を覆う内側面を有する板部材と、を備える什器であって、前記起立部材には、該起立部材の厚さ方向に凹む凹部を有するとともに、該凹部に向けて開口する開口部が形成され、前記板部材は、前記開口部に嵌合する係合突部を備え、前記板部材の前記内側面が前記起立部材の前記外側面に接した状態で、前記係合突部が前記開口部に嵌合され、前記開口部に嵌合した前記係合突部は、前記凹部の内側に挿入され、かつ前記開口部の内面を押圧するように付勢されていることを特徴としている。
【０００８】
本発明では、係合突部を備えた板部材の内側面が起立部材の外側面に接した状態で、係合突部の全体が凹部の内側に挿入され、かつ開口部に嵌合した係合突部が付勢力により開口部の内面が押圧された状態となる。これにより係合突部が保持され、板部材を起立部材に取り付けることができる。このような構成とすることで、起立部材において凹部の位置を任意に設定することが可能となるので、デザイン上の制約を受けることがなく、起立部材に対する板部材の位置を適宜設定し、好適なデザインにより什器の設計を行うことができる。
また、本発明では、凹部や開口部が起立部材の面方向に沿って配置され、起立部材や板部材の厚さ方向に突出するような連結部材が不要となるので、簡単な取り付け構造となり、取り付け作業も容易に行うことができる。
【０００９】
また、本発明に係る什器は、前記開口部は、前記係合突部よりも前記厚さ方向における内方において、前記係合突部に当接する部位を有することが好ましい。
【００１０】
この場合には、起立部材の厚さ方向の内方に位置する開口部に係合突部が当接して嵌合されるため、板部材は起立部材から離れる方向の力が作用する。そのため、板部材を起立部材に近接させて固定することで、係合突部が開口部の内面に対してより大きな力で押圧することとなり、起立部材に対する板部材の保持力を高めることができる。
【００１１】
また、本発明に係る什器は、前記開口部は、当該開口部の開口幅方向に沿う全域において前記係合突部よりも前記厚さ方向における内方に位置していることを特徴としてもよい。
【００１２】
この場合には、係合突部と開口部の内壁との間の遊び（間隙）が小さくなるので、小さな付勢力でも板部材が落下しにくくなる。
【００１３】
また、本発明に係る什器は、前記板部材は、前記起立部材の両外側面のそれぞれに取り付けられ、前記開口部には、前記両外側面に設けられる一対の前記板部材のそれぞれの前記係合突部が嵌合されていることを特徴としてもよい。
【００１４】
この場合には、１つの開口部で一対の板部材の各係合突起をその付勢力により開口部の内面に押圧させた状態で嵌合させることができ、起立部材の両外側面に効率よく板部材を固定することができる。
【００１５】
また、本発明に係る什器は、前記係合突部の復元方向と反対向きに締め付けて前記板部材を前記起立部材に固定する締結部を備えることが好ましい。
【００１６】
この場合には、係合突部が付勢に抗して復元しようとする向きと反対向きに板部材が締結部によって起立部材に固定されているので、板部材を起立部材に確実に固定することができる。
【発明の効果】
【００１７】
本発明の什器によれば、脚部のような起立部材に、それを遮蔽する遮蔽部材のような機能を有する板部材を取り付けるに際し、そのデザイン上の制約を小さくすることができるとともに、簡単な構造により起立部材に対して容易に取り付けることができる。
【図面の簡単な説明】
【００１８】
【図１】本発明の第１の実施の形態による複数の椅子を有する連結椅子の全体構成を示す斜視図である。
【図２】図１に示す連結椅子の一部を前方から見た正面図である。
【図３】前後方向に配列される連結椅子を左右方向から見た一部破断した側面図である。
【図４】椅子の側断面図であって、座部と背当部材の張材を省略した図である。
【図５】脚部とサイドパネルの取り付け構造を示す縦断面図であって、脚部の両側にサイドパネルを取り付けた状態の図である。
【図６】図５に示す脚部とサイドパネルの取り付け構造を示す縦断面図において、脚部にサイドパネルを取り付ける前の状態を示す図である。
【図７】図５に示す脚部とサイドパネルの取り付け構造において、左右方向から見た側面図である。
【図８】図６に示す脚部とサイドパネルの取り付け構造において、左右方向から見た側面図である。
【図９】図５に示すサイドパネルの取り付け構造の要部拡大図であって、（ａ）は取り付け後の図、（ｂ）は取り付け前の図である。
【図１０】サイドパネルを内側面側から見た側面図である。
【図１１】背面板部材における傾斜部材の構成を示す斜視図である。
【図１２】図５に示す脚部にサイドパネルを取り付ける取付ける途中の状態を示す縦断面図である。
【図１３】第２の実施の形態による脚部とサイドパネルの取り付け構造を示す左右方向から見た側面図であって、脚部の両側にサイドパネルを取り付けた状態の図である。
【図１４】図１２に示す脚部とサイドパネルの取り付け構造を示す側面図において、脚部にサイドパネルを取り付ける前の状態を示す図である。
【図１５】第２の実施の形態によるサイドパネルを内側面側から見た側面図である。
【図１６】図１２に示す脚部とサイドパネルの取り付け構造を示す側面図において、脚部にサイドパネルを取り付ける途中の状態を示す図である。
【図１７】変形例による連結椅子の全体構成を示す斜視図である。
【図１８】図１７に示す連結椅子の一部を前方から見た正面図である。
【発明を実施するための形態】
【００１９】
以下、本発明の実施形態による什器について、図面に基づいて説明する。
【００２０】
（第１の実施形態）
図１及び図２に示す本実施形態による椅子１（什器）は、例えば劇場、講堂、ホール、会議場、待合室等において、建物の床面Ｆ（設置面）に左右方向Ｘ１に複数配列した状態で設置される。椅子１は、左右方向Ｘ１に複数（図では三脚）並び、これらが一体的に連結されて連結椅子１Ａを構成し、かつこの連結椅子１Ａが前後方向Ｘ２、及び左右方向Ｘ１に複数並んで設置される。
【００２１】
ここで、以下の説明における前後、左右及び上下の向きは、椅子の座体上で背凭れに背を向けて着座した着座者を基準とする。つまり、前記着座者が向く方向が「前方」となる。また、上述したように椅子１の左右方向（椅子１の幅方向）を符号Ｘ１、前後方向（椅子１の奥行方向）を符号Ｘ２で示す。
【００２２】
個々の椅子１は、椅子１の左右方向Ｘ１に離間して床面Ｆ上に起立する一対の脚部２（起立部材）と、一対の脚部２の間に配置される跳ね上げ式の座部３と、座部３への着座者が背中で寄り掛かる部分である背凭れ部４と、着座者が肘を掛けるための左右一対の肘掛部５と、を備えている。そして、左右方向Ｘ１に配列された複数の椅子１が左右一対の脚部２、２によって床面Ｆ上に一体的に固定される。
【００２３】
図２に示すように、各脚部２は、鋼板等の強度部材からなり、椅子１の左右方向Ｘ１と直交するように起立する一対のサイドパネル２０、２０（板部材）を、左右方向Ｘ１で間隔を空けて対向配置して構成されている。すなわち、脚部２は、上部に肘掛部５を備えるサイドパネル２０と組み合わされて構成されている。
ここで、脚部２の下端には床面Ｆに床固定板２１が設けられ、この床固定板２１が例えば不図示のアンカーボルトを使用して床面Ｆに固定される。つまり、床面Ｆに埋設されたアンカーボルトに床固定板２１を貫通し、そのアンカーボルトにナットを螺着し締め込むことで、脚部２が床面Ｆに固定される。
【００２４】
座部３は、隣り合う左右の脚部２間で着座面３ａを略水平にした使用姿勢（図中符号３Ａで示す）と、その前側を上方に変位させて着座面３ａを起立させた収納姿勢（図中二点鎖線の符号３Ｂで示す）と、の間で回動可能（跳ね上げ可能）に設けられ、背凭れ部４と別体に構成されている。座部３は、着座面を形成する不図示の座クッションと、座クッションを支持する不図示の座フレームを有する。
【００２５】
図２に示すように、座部３における使用姿勢３Ａでの後側にある基端部は、左右の脚部２のそれぞれの対向面に固定されている回動軸３１に支持される。座部３は、使用姿勢３Ａでの前側にある先端部を上下に変位させるように、左右方向Ｘ１に沿う回動軸３１の支持軸Ｃ１を中心に回動する。例えば支持軸Ｃ１の周囲には、座部３を使用姿勢３Ａから収納姿勢３Ｂに跳ね上げるように付勢する不図示の付勢手段（例えば弾性部材）が設けられる。
このように、座部３が跳ね上げ式（回動式）のため、図３及び図４に示すように、座部３の着座面３ａ及び背面３ｂと背凭れ部４の前面との相互間には、座部３が使用姿勢３Ａ、収納姿勢３Ｂ、及び使用姿勢３Ａと収納姿勢３Ｂの中間姿勢（回動途中の姿勢）のうち、いずれか１以上の姿勢にある状態で、座部３の下方へと連なる隙間Ｓ（図１参照）が生じることになる。
【００２６】
図５及び図６に示すように、脚部２は、床面Ｆに立設される起立板２２と、起立板２２の上端２２ｂに設けられた上部フランジ２３と、から前後方向Ｘ１から見て略Ｔ字形状に形成されている。起立板２２は、図７及び図８に示すように、上下方向の略中央から上側の部分において左右方向Ｘ２から見た側面視で逆台形状をなし、左右両側にサイドパネル２０、２０が取り付けられる側板取付部２Ａを有している。上部フランジ２３には、後述するサイドパネル２０と同様の木製又は樹脂製の肘掛部５が上方から外嵌させることにより装着されている。
【００２７】
図６、図８、及び図９（ａ）、（ｂ）に示すように、脚部２の側板取付部２Ａの上端側には、厚さ方向に貫通する一対の矩形状の第一開口部２４（凹部）が前後方向Ｘ２に間隔をあけて形成されている。各第一開口部２４は、側板取付部２Ａにおける上端が開放され凹状に切り欠かれた形状をなしている。
【００２８】
上部フランジ２３は、図９（ａ）、（ｂ）に示すように、前後方向Ｘ１から見て起立板２２の上端２２ｂを中心にして左右両側に張り出した形状となっている。上部フランジ２３における起立板２２の第一開口部２４に面する部分には、第一開口部２４に向けて（下向きに向けて）開口するとともに、第一開口部２４の長さ方向（前後方向Ｘ２）に沿って延びる第一開口溝２３ａ（開口部）が形成されている。そして、本実施形態では、第一開口溝２３ａの中心が起立板２２の中心に一致しており、第一開口溝２３ａの溝幅Ｄ１が起立板２２の厚さ寸法Ｄ２よりも小さく設定されている。
【００２９】
サイドパネル２０は、図８及び図１０に示すように、例えば木製（ベニヤ板や木質材料を含む）又は樹脂製の化粧板からなり、脚部２の側板取付部２Ａとほぼ同形状の逆台形状をなす平板状に形成され、側板取付部２Ａの左右両側を覆うように取り付けられる（図５及び図７参照）。サイドパネル２０は、外側面２０ａが外側に露出し、内側面２０ｂが側板取付部２Ａの外周面に対向して配置される。サイドパネル２０の内側面２０ｂの上端部には、脚部２における第一開口部２４を介して上部フランジ２３の第一開口溝２３ａの内側に嵌合する平板状の係合プレート２５（係合突部）を備えている。
【００３０】
係合プレート２５は、上部がサイドパネル２０の上端２２ｂよりも上方に突出するように設けられ、鋼製部材でねじ等の固定手段によって内側面２０ｂに固定されている。図９（ｂ）に示すように、係合プレート２５の高さ寸法Ｌ１は、第一開口部２４の上下方向の寸法と第一開口溝２３ａの深さ寸法とを合わせた寸法（符号Ｌ２）に相当する。
係合プレート２５の厚さ寸法は、第一開口溝２３ａの溝幅Ｄ１よりも小さく、かつ第一開口溝２３ａに左右一対の両側のサイドパネル２０、２０のそれぞれの係合プレート２５、２５が同時に嵌合されるような寸法（つまり第一開口溝２３ａの溝幅Ｄ１の１／２以下の寸法）に設定されている。そのため、第一開口溝２３ａには、左右一対のサイドパネル２０、２０に設けられる係合プレート２５の両方が嵌合される。
【００３１】
また、係合プレート２５は、図９（ａ）に示すように、サイドパネル２０の内側面２０ｂが起立板２２の側板取付部２Ａに接した状態で、第一開口溝２３ａにおける厚さ方向（左右方向Ｘ１に相当）の開口縁２３ｂに対して、第一開口溝２３ａへの嵌合を規制するように起立板２２の厚さ方向（左右方向Ｘ１に相当）の外側にずれた位置に形成され、かつ第一開口溝２３ａに嵌合した嵌合姿勢の状態で、前記厚さ方向で第一開口溝２３ａから離間する方向に付勢され第一開口溝２３ａの内面が押圧された構成となっている。つまり、サイドパネル２０の内側面２０ｂが側板取付部２Ａに接した状態で、係合プレート２５が第一開口溝２３ａに嵌合され、第一開口溝２３ａに嵌合した係合プレート２５が第一開口部２４の内側に挿入され、かつ第一開口溝２３ａの内面を押圧するように付勢されて構成されている。
【００３２】
サイドパネル２０の下端部分には、図８及び図１０に示すように、厚さ方向に貫通するボルト挿通孔２０ｃが設けられており、このボルト挿通孔２０ｃに挿通された不図示のボルトによって起立板２２に設けられる雌ねじ部に螺合される。
このとき、係合プレート２５の復元方向と反対向きにボルトを締め付けることとなり、サイドパネル２０が起立板２２に固定されている。
【００３３】
肘掛部５は、図１に示すように、椅子１の外側部に設置されるが、隣接する椅子１、１同士の間ではその中間部に両席共用となる１個が設置される。肘掛部５は、図６に示すように、前後方向Ｘ２に長く延びた形状で前後方向Ｘ２から見た断面視で略矩形状をなし、下端面に前後方向Ｘ２に沿って延在する嵌合凹部５ａが形成されている。肘掛部５は、その嵌合凹部５ａを脚部２の上部フランジ２３に対して上方から外嵌させることで、脚部２に取り付けられる。なお、嵌合凹部５ａの深さ寸法は、上部フランジ２３の厚さ寸法よりも大きく設定され、これにより肘掛部５を上部フランジ２３に嵌合させた状態で、外方から上部フランジ２３が隠れて露出しないようになっている。
【００３４】
図１及び図３に示すように、背凭れ部４は、前後方向Ｘ２の手前側に配置され、着座者の背中に接する背当部材４０と、背当部材４０を前後方向Ｘ２の後側から支持する強度部材としての背面板部材６と、を備えている。
【００３５】
背当部材４０は、図３及び図４に示すように、背面板部材６の前面６ａに着脱自在に取り付けられている。背当部材４０は、着座者の着座荷重の支持面（背凭れ面４ａ）を構成する背張材４１と、背張材４１を後方から支持する外周構成部材４２と、を備える。背張材４１は、着座者の腰部を後方から支持し易いように、背凭れ面４ａの上下中間部よりも下側の位置を前方に凸の頂部となる形状をなしている。
【００３６】
外周構成部材４２は、図４に示すように、合板やパイプ、木枠等で形成され背張材４１の外周縁部が支持される一対の張材支持部（図示省略）と、一対の張材支持部を背張材４１よりも着座荷重の入力方向（前後方向Ｘ２）に沿う後側で連結するとともに、背面板部材６に遊動可能に支持される連結開口（図示省略）と、を有している。背張材４１は、外周構成部材４２における対向する一対の張材支持部の間に張設される。
ここで、背面板部材６の前面６ａの上部側には、フック形状の連結具４３が一つの背当部材４０に対して複数設けられている。この連結具４３に上述した外周構成部材４２の連結開口を掛止させることにより背当部材４０が背面板部材６の前面６ａに支持される。
【００３７】
図１及び図３に示すように、背面板部材６は、前後方向Ｘ２に直交する鉛直面に対して後傾した平面に沿う木製の平板状をなし、正面視で左右方向Ｘ１に長い長方形状に設けられる。そして、背面板部材６は、左右一対の脚部２、２間の空間を椅子１の前後方向Ｘ２を遮蔽するように脚部２に対して不図示のブラケットを介してボルト締結により固定されている。
【００３８】
背面板部材６は、連結椅子１Ａとして構成される複数（３脚）の椅子１のすべてを後方から遮蔽するように一体的に設けられ、椅子１，１同士の間にわたって設けられ、各椅子１のサイドパネル２０や肘掛部５の後面が隠れるまで延在した状態で配置されている（図２参照）。背面板部材６の下端６１ａは、床面Ｆに対して離間している。
【００３９】
また、図２に示すように、背面板部材６は、左右方向Ｘ１に沿って延在する上辺６３と、左右方向Ｘ１において上辺６３よりも外側方に位置する側辺６４と、側辺６４の上端部６４ａと上辺６３の左右方向Ｘ１に沿う外側端部６３ａとを連結し、背面板部材６の外周縁部に、外側方に向けて下傾する平坦面を形成する第一連結辺６５と、を備えている。
ここで、背面板部材６の上辺６３と側辺６４とは、それぞれ背当部材４０の上方及び側方に突出している。第一連結辺６５は、背当部材４０より突出した部分となる上辺６３と側辺６４との角部に設けられている。
【００４０】
上辺６３の外側端部６３ａは、椅子１の設置面である床面Ｆからの高さが上辺６３の他の部分（上辺６３における外側端部６３ａより左右方向Ｘ１で中央部側の部分）よりも高い位置となっている。つまり、連結椅子１Ａ全体としての上辺６３は、外側端部６３ａよりも左右方向Ｘ１の内側において水平方向に延設される水平辺６３Ａと、水平辺６３Ａの左右方向Ｘ２の外端部と上辺６３の外側端部６３ａとを連結する第二連結辺６３Ｂと、を有している。第二連結辺６３Ｂは、外側端部６３ａから水平辺６３Ａに向けて漸次、下方へ向けて突となるように湾曲している。したがって、本実施形態において背面板部材６の上辺６３が、連結椅子１Ａ全体として左右方向Ｘ１の中央から両外側端部６３ａ、６３ａにかけて上に反り上がるようなデザインとなっている（図１参照）。
【００４１】
なお、第一連結辺６５の平坦面部分には、例えばゴム、プラスチック等、あるいは弾性変形可能な板材（弾性部材）により形成された薄板状のすべり止め部材（図示省略）が設けられていてもよい。この場合には、背面板部材６の第一連結辺６５の平坦部に、例えば厚さ方向に弾性変形するゴム等のすべり止め部材が設けられているので、その平坦部に載せた利用者の手がすべって第一連結辺６５から外れてしまい、例えば体のバランスを崩してしまうことを防ぐことが可能となる。
【００４２】
背面板部材６には、図３及び図４に示すように、座部３の下方における一対の脚部２、２の対向面間の領域に手前側に向けて下傾する下傾面６２ｂを有する傾斜部材６２が設けられている。傾斜部材６２は、例えば金属製材料や樹脂製材料からなり、背面板部材６に対して、前後方向X２ににおける手前側の領域に配置され、背面板部材６の下端６１ａから前後方向Ｘ２の前方に向けて漸次、下方に向けて連続して傾斜している。
【００４３】
また、傾斜部材６２は、背面板部材６とは独立した別部品として構成され、前後方向Ｘ２における奥側端部の下傾面６２ｂの上端において背面板部材６に連結可能な被連結部６２ｄを備え、この被連結部６２ｄが背面板部材６の前面６ａに対して前側からボルト等で着脱自在に固定される。さらに、傾斜部材６２は、左右方向Ｘ１における両端部が脚部２に非連結状態となる自由端６２ｅ（図２及び図１１参照）とされている。本実施の形態では、一対の脚部２、２のそれぞれの内側面と、傾斜部材６２の両自由端６２ｅ（両端縁）との間には、前後方向Ｘ２に沿って延びる間隙が形成されている。
そして、傾斜部材６２は、下面６２ａと床面Ｆとの間に空間Ｒを形成するように配置されている。
【００４４】
傾斜部材６２の下傾面６２ｂの傾斜角度としては、例えば床面に対して３０°〜８０°程度とされる。すなわち、下傾面６２ｂは、図４に示すように、背面板部材６から段差がなく、前端部６２ｃまで一様な傾斜面を形成している。そして、下傾面６２ｂは、座部３と背凭れ部４との間に形成される隙間Ｓの下方に位置している。
【００４５】
傾斜部材６２の前端部６２ｃは、床面Ｆから例えば数ｍｍ〜２０ｍｍの範囲で離間している。
また、傾斜部材６２の下面６２ａ側に形成される閉塞空間Ｒは、床面Ｆとの間において、後方に向かって次第に大きくなる側面視三角形状の空間となっている。
【００４６】
次に、上述した椅子１の作用について、図面に基づいて詳細に説明する。
図１２に示すように、本実施形態では、係合プレート２５を備えたサイドパネル２０の内側面２０ｂが脚部２における起立板２２の側板取付部２Ａに接した状態で、図１１に示すように、サイドパネル２０を斜めにしながら、係合プレート２５の全体を第一開口部２４の内側に挿入させるとともに、上部フランジ２３の第一開口溝２３ａに係合プレート２５を嵌合させる。このとき、図９（ａ）に示すように、嵌合した係合プレート２５が付勢力により第一開口溝２３ａの内面が押圧された状態となる。これにより係合プレート２５が保持され、サイドパネル２０を起立板２２に取り付けることができる。
また、本実施の形態の場合には、係合プレート２５の付勢に抗して復元しようとする向きと反対向きにサイドパネル２０がボルト等の締結部によって起立板２２に固定させることにより、サイドパネル２０を起立板２２に確実に固定させることができる。
【００４７】
このような構成とすることで、起立板２２において第一開口部２４の位置を任意に設定することが可能となるので、デザイン上の制約を受けることがなく、起立板２２に対するサイドパネル２０の位置を適宜設定し、好適なデザインにより椅子１の設計を行うことができる。
また、本実施の形態では、第一開口部２４や第一開口溝２３ａが起立板２２の面方向に沿って配置され、起立板２２やサイドパネル２０の厚さ方向に突出するような連結部材が不要となるので、簡単な取り付け構造となり、取り付け作業も容易に行うことができる。
【００４８】
また、本実施の形態では、第一開口溝２３ａが係合プレート２５よりも前記厚さ方向における内方に形成されているので、脚部２の起立板２２の厚さ方向の内方に位置する第一開口溝２３ａに係合プレート２５が嵌合されると、サイドパネル２０は起立板２２から離れる方向の力が作用する。そのため、サイドパネル２０を起立板２２に近接させて固定することで、係合プレート２５が第一開口溝２３ａの内面に対してより大きな力で押圧することとなり、起立板２２に対するサイドパネル２０の保持力を高めることができる。
【００４９】
さらに、本実施の形態の椅子１では、上部フランジ２３に形成される１つの第一開口溝２３ａで一対のサイドパネル２０、２０の各係合プレート２５をその付勢力により第一開口溝２３ａの内面に押圧させた状態で嵌合させることができ、起立板２２の両外側面に効率よくサイドパネル２０を固定することができる。
【００５０】
上述のように本実施の形態による椅子１では、脚部２の起立板２２に、それを遮蔽する遮蔽部材のような機能を有するサイドパネル２０を取り付けるに際し、そのデザイン上の制約を小さくすることができるとともに、簡単な構造により起立板２２に対して容易に取り付けることができる。
【００５１】
（第２の実施の形態）
次に、第２の実施の形態による椅子１について、図面に基づいて説明する。なお、上述した第１の実施の形態の構成要素と同一機能を有する構成要素には同一符号を付し、これらについては、説明が重複するので詳しい説明は省略する。
【００５２】
図１３乃至図１６に示すように、第２の実施の形態では、脚部２の起立板２２とサイドパネル２０との取付構造が第１の実施の形態と異なっている。具体的には、脚部２の側板取付部２Ａの上端側には、厚さ方向に貫通する一対の矩形状の第二開口部２６（凹部）が前後方向Ｘ２に間隔をあけて形成されている。各第二開口部２６は、サイドパネル２０の取付位置からさらに前方に向けて後述するサイドパネル２０に設けられる係合プレート２５の前後方向Ｘ２の長さ寸法よりも少なくとも２倍以上の大きさとなるように設定されている。
【００５３】
さらに、起立板２２の第二開口部２６には、この第二開口部２６に向けて開口するとともに、前後方向Ｘ２に沿って延びる第二開口溝２７（開口部）が形成されている。ここで、第二開口部２６において、前後方向Ｘ２で第二開口溝２７が形成されていない開口領域を挿入開口領域２６Ａといい、第二開口溝２７が形成されている開口領域を嵌合開口領域２６Ｂという。
図１４に示すように、起立板２２の側板取付部２Ａには、プレート面を側板取付部２Ａの面に平行に配置され、かつ各第二開口部２６の嵌合開口領域２６Ｂの下側部分を塞ぐようにプレート材２６Ｃが固着されている。プレート材２６Ｃには、上下方向で嵌合開口領域２６Ｂ側に突出する突出部２６ａが形成されている。そして、前記第二開口溝２７は、起立板２２を挟む両側に位置するプレート材２６Ｃの突出部２６ａ、２６ａによって形成されている。
【００５４】
サイドパネル２０の内側面２０ｂの上部側には、起立板２２における第二開口部２６を介して第二開口溝２７の内側に嵌合する平板状の一対の係合プレート２８（係合突部）を備えている。また、係合プレート２８の下側には、前後方向Ｘ２に延びる凹部２９が形成されている。この凹部２９は、プレート材２６Ｃを避けるためのものである。
【００５５】
係合プレート２８は、下部が凹部２９側（下側）に突出するように設けられ、鋼製部材でねじ等の固定手段によって内側面２０ｂに固定されている。係合プレート２８の高さ寸法は、第二開口部２６の上下方向の寸法と一致している。また、係合プレート２８は、サイドパネル２０の内側面２０ｂが起立板２２の側板取付部２Ａに接した状態で、第二開口部２６内の挿入開口領域２６Ａに挿入され、この挿入された係合プレート２８の外周面と、嵌合開口領域２６Ｂの内周面とが、互いに厚さ方向にずれた位置となっている。すなわち、第二開口溝２７に嵌合した嵌合姿勢の状態で、係合プレート２８は第二開口溝２７の内面を押圧した構成となっている。
【００５６】
また、サイドパネル２０の下端部分には、厚さ方向に貫通するボルト挿通孔２０ｃが設けられており、このボルト挿通孔２０ｃに挿通された不図示のボルトによって起立板２２に設けられる雌ねじ部に螺合される。
このとき、係合プレート２８の復元方向と反対向きにボルトを締め付けることによりサイドパネル２０が起立板２２に固定されている。
【００５７】
本第２の実施の形態では、係合プレート２８を備えたサイドパネル２０の内側面が脚部２における起立板２２の側板取付部２Ａに接した状態で、図１６に示すように、先ず、一対の係合プレート２８、２８の全体を第二開口部２６内の挿入開口領域２６Ａの内側に挿入させる。次いで、サイドパネル２０を、係合プレート２８が挿入開口領域２６Ａから嵌合開口領域２６Ｂに移動するように後方に向けてスライドさせることで、図１３に示すように、第二開口溝２７に係合プレート２５を嵌合させる。このとき、嵌合した係合プレート２８が付勢力により第二開口溝２７の内面が押圧された状態となる。これにより係合プレート２８が保持され、サイドパネル２０を起立板２２に取り付けることができる。
また、本実施の形態の場合には、係合プレート２８が付勢に抗して復元しようとする向きと反対向きにサイドパネル２０がボルト等の締結部によって起立板２２に固定させることにより、サイドパネル２０を起立板２２に確実に固定させることができる。
【００５８】
以上、本発明による什器の実施の形態について説明したが、本発明は上記の実施の形態に限定されるものではなく、その趣旨を逸脱しない範囲で適宜変更可能である。
【００５９】
例えば、上述した実施の形態では、脚部２の上部フランジに形成される開口部（第一開口溝２３ａ、及び第二開口溝２７）が、起立板２２の両外側面（側板取付部２Ａ）に設けられる一対のサイドパネル２０、２０のそれぞれの係合プレート２５、２８が嵌合される構成としているが、一方のサイドパネル２０の係合プレートのみが嵌合される寸法の開口部がそれぞれ別個に設けられる構成であってもかまわない。
また、本実施の形態では、起立板２２に形成される凹部（第一開口部２４、第二開口部２６）が起立板２２の厚さ方向を貫通する開口となっているが、貫通していることに制限されず、厚さ方向に凹んだ形状の凹部であってもよい。
【００６０】
また、図１７及び図１８に示す変形例による連結椅子１Ｂは、背凭れ部４の背面板部材６の側方部が椅子１に対して左右方向Ｘ１に大きく張り出した形状となっていて、椅子１から側辺６４側に張出し部６４Ａを有する構成となっている。この場合の連結椅子１Ｂにおいても、上述した各椅子１の構成、すなわち背凭れ部４の背面板部材６の形状についても同様の構成とすることができる。つまり、上述した実施の形態の連結椅子１Ａと、変形例による連結椅子１Ｂとが前後方向Ｘ２に配置されることで、椅子１の配置としては前後の連結椅子１Ａ，１Ｂで左右方向Ｘ１に交互に位置するため、前側の着座者の頭で正面が隠れることのないように配置できる。そして、連結椅子１Ｂにおいて背面板部材６に大きな張出し部６４Ａを設けることで、前後に配置される大きな張出し部６４Ａの無い連結椅子１Ａの側辺６４の位置を一致させることができ、連結椅子１Ａ、１Ｂの横の通路幅を一定することができる。
【００６１】
また、上述した第一開口溝２３ａや第二開口溝２７の開口部は、当該開口部の開口幅方向に沿う全域において係合プレート２５、２８（係合突部）よりも厚さ方向（左右方向Ｘ１）における内方に位置している構成とすることも可能である。この場合には、係合突部と開口部の内壁との間の遊び（間隙）が小さくなるので、小さな付勢力でもサイドパネル（板部材）が落下しにくくなる。
【００６２】
さらに、第一開口溝２３ａや第二開口溝２７の開口部の形状として、上述した実施の形態に限定されることはない。例えば、開口部が形成される部位に厚さがあり、開口部が前後方向Ｘ２の正面（前方）からの断面視において上窄まりのテーパ形状をなし、その上縁に係合突部を当接させて押し付ける構成であってもい。
具体的には、開口部の下部外側縁が係合突部より前記厚さ方向で外側方に位置する構成であってもい。この場合には、開口部の間口が広がっているので、係合突部を開口部に差し込み易くなる。これと同様に、開口部の下部外側縁側の部分に面取り部を形成した構成であってもよい。このような面取り部を形成する場合も開口部の間口が広がることになることから、係合突部を開口部に差し込み易くなる。
また、開口部の上部外側縁が係合突部より前記厚さ方向で外側方に位置する構成とすることもできる。この場合には、係合突部の弾性変形の回数を増やすことができ付勢力を増大させることができる。
【００６３】
その他、本発明の趣旨を逸脱しない範囲で、上記した実施の形態における構成要素を周知の構成要素に置き換えることは適宜可能である。
【符号の説明】
【００６４】
１  椅子（什器）
２  脚部（起立部材）
３  座部
３Ａ  使用姿勢
３Ｂ  収納姿勢
４  背凭れ部
５  肘掛部
６  背面板部材
２０  サイドパネル（板部材）
２０ａ  外側面
２０ｂ  内側面
２２  起立板
２３  上部フランジ
２３ａ  第一開口溝（開口部）
２４  第一開口部（凹部）
２５  係合プレート（係合突部）
２６  第二開口部（凹部）
２７  第二開口溝（開口部）
２８  係合プレート（係合突部）
２９  凹部
Ｆ  床面
Ｒ  閉塞空間
Ｘ１  左右方向
Ｘ２  前後方向
【図１】
2018175589.tif 000003
【図２】
2018175589.tif 000004
【図３】
2018175589.tif 000005
【図４】
2018175589.tif 000006
【図５】
2018175589.tif 000007
【図６】
2018175589.tif 000008
【図７】
2018175589.tif 000009
【図８】
2018175589.tif 000010
【図９】
2018175589.tif 000011
【図１０】
2018175589.tif 000012
【図１１】
2018175589.tif 000013
【図１２】
2018175589.tif 000014
【図１３】
2018175589.tif 000015
【図１４】
2018175589.tif 000016
【図１５】
2018175589.tif 000017
【図１６】
2018175589.tif 000018
【図１７】
2018175589.tif 000019
【図１８】
2018175589.tif 000020